(57)【要約】【課題】外部の商用電源から給電されるＬＥＤ照明装置では、通電時に充電した電荷を用いて停電発生時にＬＥＤを継続して発光させるバックアップ機能を備えたものがあるが、必ずしも全てのＬＥＤ照明装置にバックアップ機能を必要としない。ただし、後にバックアップ機能を必要とする場合にはバックアップ機能を有している照明器具に交換する必要があり費用が高くなる。【解決手段】バックアップ機能を独立させてバックアップ回路部４とし、灯具１と駆動回路部３との間に着脱自在に挿入し得るようにした。【選択図】  図４
2018195470.tif 000002
【特許請求の範囲】
【請求項１】
外部の商用電源から点消灯スイッチを介して電力が供給され、天井に設置されたＬＥＤ発光部とその発光部に電力を供給して通常の照明状態で発光させる駆動回路部とを備えたＬＥＤ照明装置において、上記外部の商用電源から供給される電力を蓄電する蓄電部と、この商用電源からの電力の供給が停止する停電状態の発生を検知する停電検知部とを備えたバックアップ回路部を、上記ＬＥＤ発光部と駆動回路部との間に着脱自在に設けるとともに、上記外部電源に停電状態が発生していない状態では上記駆動回路部が出力する電力をＬＥＤ発光部に供給すると共に、停電状態が発生すると上記蓄電部に蓄電された電力でＬＥＤ発光部を発光させる停電時切替手段を上記バックアップ回路部に設けたことを特徴とするＬＥＤ照明装置。
【請求項２】
上記バックアップ回路部は、上記駆動回路部によってＬＥＤ発光部が発光されている状態で停電状態が発生した場合にＬＥＤ発光部を発光させることを特徴とする請求項１に記載のＬＥＤ照明装置。
【発明の詳細な説明】
【技術分野】
【０００１】
本発明は、浴室や浴室に隣接する脱衣場などの天井に取り付けられるＬＥＤ照明装置に関する。
【背景技術】
【０００２】
マンションなどの集合住宅では、間取りの制限から浴室や脱衣場に窓を設けることができない場合が生じる。このような構造の住宅では、昼間であっても外部からの光が浴室や脱衣場内に取り込むことができない。そのため、浴室や脱衣場の天井にはＬＥＤなどの発光体を用いた照明装置が取り付けられている。このような照明装置では、例えば、ＬＥＤ発光部と、このＬＥＤ発光部に電力を供給する駆動回路部とを別体に構成したものがある。
【０００３】
入浴中に停電が生じると、上記の照明装置は消灯するため、浴室や脱衣場内が暗くなり、入浴者が居間などに移動するのに不都合が生じる場合が生じる。そのため、外部からの電力の供給を受けている状態でＬＥＤを発光させると共に、駆動回路部内に電気二重層コンデンサなどの蓄電手段を設け、その蓄電手段に電力を蓄電しておき、停電が発生した場合にはその蓄電した電力でＬＥＤの発光を継続させる機能を備えた照明装置が知られている（例えば、特許文献１参照）。
【先行技術文献】
【特許文献】
【０００４】
【特許文献１】特開２０１７−６２９４２号公報（段落[００１９]）
【発明の概要】
【発明が解決しようとする課題】
【０００５】
全てのＬＥＤ照明装置に上記停電時にＬＥＤの発光を継続するバックアップ機能を備える必要はない。すなわち、複数のＬＥＤ照明装置を設置する場合、停電時に発光を継続する照明装置はそれら複数の照明装置の一部で十分である。また、このようなバックアップ機能を全く備えていない照明装置が既に設置されている状態でバックアップ機能付きの照明装置を希望する場合には、バックアップ機能を備えた新たな照明器具に交換する必要があるが、照明器具全体もしくは駆動回路部を交換するのでは費用が高くなるという不具合が生じる。
【０００６】
そこで本発明は、上記の問題点に鑑み、低価格でバックアップ機能を追加することのできるＬＥＤ照明装置を提供することを課題とする。
【課題を解決するための手段】
【０００７】
上記課題を解決するために本発明によるＬＥＤ照明装置は、外部の商用電源から点消灯スイッチを介して電力が供給され、天井に設置されたＬＥＤ発光部とその発光部に電力を供給して通常の照明状態で発光させる駆動回路部とを備えたＬＥＤ照明装置において、上記外部の商用電源から供給される電力を蓄電する蓄電部と、この商用電源からの電力の供給が停止する停電状態の発生を検知する停電検知部とを備えたバックアップ回路部を、上記ＬＥＤ発光部と駆動回路部との間に着脱自在に設けるとともに、上記外部電源に停電状態が発生していない状態では上記駆動回路部が出力する電力をＬＥＤ発光部に供給すると共に、停電状態が発生すると上記蓄電部に蓄電された電力でＬＥＤ発光部を発光させる停電時切替手段を上記バックアップ回路部に設けたことを特徴とする。
【０００８】
バックアップ回路部は着脱自在のオプションとし、バックアップ回路部を用いない場合には駆動回路部からＬＥＤ発光部に直接電力を供給してＬＥＤを発光させるようにした。
【０００９】
なお、上記バックアップ回路部は、上記駆動回路部によってＬＥＤ発光部が発光されている状態で停電状態が発生した場合にＬＥＤ発光部を発光させるように構成することによって、例えば無人でＬＥＤ発光部が発光していない状態で停電が発生した場合に、不必要にＬＥＤを発光させないようにすることが望ましい。
【発明の効果】
【００１０】
以上の説明から明らかなように、本発明は、バックアップ機能のみを後から追加することができ、バックアップ機能を有さない照明器具をバックアップ機能を付加させた状態で使用し続けることができる。
【図面の簡単な説明】
【００１１】
【図１】本発明によるＬＥＤ照明器具の取り付け状態を示す図
【図２】ＬＥＤ照明器具本体と着脱自在のバックアップ回路部とを示す斜視図
【図３】ＬＥＤ照明器具本体の構造を示す分解斜視図
【図４】外部の商用電源からＬＥＤ発光部までの配線状態を示すブロック図
【図５】バックアップ回路部内部の構造を示すブロック図
【発明を実施するための形態】
【００１２】
図１を参照して、１は本発明によるＬＥＤ照明器具を構成する発光部である灯具の一例である。この灯具１はダウンライトと呼ばれるものであって、天井ＣＬに形成された丸穴に嵌め込まれることにより取り付けられている。そして、この灯具１にはＬＥＤ発光部２が設けられており、灯具１を天井ＣＬに取り付けた状態でＬＥＤ発光部２が室内に臨むように構成されている。
【００１３】
図２及び図３を参照して、この灯具１の筒状のケース１１内にはＬＥＤ発光部２が収納されている。そして、ケース１１の上方の開口を閉塞する端子台１２には外部の駆動回路部３からの電力を給電する給電線１３が接続されており、この給電線１３を介して給電される直流電力はＬＥＤ発光部２に供給され、ＬＥＤ発光部２に実装されているＬＥＤを発光させる。駆動回路部３は複数の灯具１を接続できるように複数の接続ポート３１が設けられおり、本実施に携帯で示すと迂愚１はその複数個のポート３１のいずれかに接続されている。なお、５は外部の商用電源であり、点消灯スイッチ５１を介して駆動回路部３に接続されている。
【００１４】
図４を参照して、停電が発生した場合に灯具１を継続して発光させるバックアップ機能を必要とする場合には、バックアップ回路部４を着脱自在に追加する。灯具１にバックアップ回路部４が取り付けられていない状態では、駆動回路部３からの電力は図において破線で示した経路Ａを経て直接灯具１のＬＥＤ発光部２に供給される。
【００１５】
灯具１にバックアップ回路部４を取り付けると、二点鎖線で囲んだ範囲Ｘの変更を行う。まず、上記給電線１３から分岐した配線ａ，ｃと、上記点消灯スイッチ５１と商用電源５との間から分岐した配線ｂとをバックアップ回路部４に配線する。更に、上記経路Ａを廃止して、駆動回路部３の出力を経路Ｂを介してバックアップ回路部４に供給すると共に、バックアップ回路部４からの出力電力を経路Ｃを介して灯具１に供給するように配線を変更する。
【００１６】
図５を参照して、バックアップ回路部４内にはマイコン４１が内蔵されており、このマイコン４１によって制御される切替器４２が設けられている。この切替器４２は通常は経路Ｂと経路Ｃとを直結する状態になっており、上記駆動回路部３から出力される電力は経路Ｂから切替器４２を経て経路Ｃを通って灯具１に流れる。すなわち、上記経路Ａと同じ電力供給経路を形成することになり、その状態ではバックアップ回路部４は取り付けられていない状態と変わらない。なお、マイコン４１は配線ａ，ｃから交流電力が供給されている状態では、電気二重層コンデンサから構成される蓄電部４３に電力を蓄電している。
【００１７】
給電線１３からの給電が停止する状態になる場合は、点消灯スイッチ５１がオフにされた場合か、商用電源５が停電した場合が考えられる。点消灯スイッチ５１がオフになった場合には、配線ａ−ｃ間の電位差はなくなるが、配線ｂ−ｃ間の電位差は残るので、停電ではなく点消灯スイッチ５１がオフになったことをマイコン４１は判断することができる。
【００１８】
これに対して商用電源５が停電した場合には、配線ｂ−ｃ間の電位差がなくなるため、マイコン４１は停電発生を検知することができる。マイコン４１が停電の発生を検知すると、切替器４２を切り替えて、経路Ｂと経路Ｃとを遮断すると共に、蓄電部４３に蓄電されている電荷を元にＬＥＤ発光部２を必要最小限の輝度で発光させる電力をマイコン４１から切替器４２を介して経路Ｃに出力する。
【００１９】
このように作用することにより、停電が発生してもＬＥＤ発光部２の発光を継続させることができる。ただし、停電発生時において点消灯スイッチ５１がオフになっていた場合には、照明を継続させる必要が無い状態であると考えられるので、たとえ停電が発生してもＬＥＤ発光部２をバックアップ機能により発光させないようにすることが望ましい。
【００２０】
なお、本発明は上記した形態に限定されるものではなく、本発明の要旨を逸脱しない範囲内において種々の変更を加えてもかまわない。
【符号の説明】
【００２１】
１  灯具
２  ＬＥＤ発光部
３  駆動回路部
４  バックアップ回路部
５  商用電源
１１  ケース
１３  給電線
４１  マイコン
４２  切替器
４３  蓄電部
５１  点消灯スイッチ
【図１】
2018195470.tif 000003
【図２】
2018195470.tif 000004
【図３】
2018195470.tif 000005
【図４】
2018195470.tif 000006
【図５】
2018195470.tif 000007